(57)【要約】【課題】本発明は家庭ベランダ用伸縮できて滑り落ち防止の植物に注水可能な装置を開示した。    【解決手段】注水箱を含み、前記注水箱の左側面には固定板が前後対称的に固定的に装着され、晴れた日に移動機構の中のヒンジ連結ロッドにより下側の植え鉢を推し動かして左方へ移動させることができ、これにより上下両側の植え鉢の位置をずらし、上下両側の植え鉢の中の植物が光の照射を受けられ、上側の植え鉢が下側の植え鉢の太陽を遮らなく、植物の成長に有利であり、しかも制御機構が晴れた日に阻みブロックにより流水出口を密封でき、植え鉢の中の水分が流水出口により流失することを防止し、雨の日に植え鉢に落ちた雨水が流水出口により流出でき、植物が冠水で死ぬことを防止し、固定ブロックと支持スタンドとにより注水装置をベランダに固定する。【選択図】図１
2020198862.tif 000002
【特許請求の範囲】
【請求項１】
正面視で、注水箱を含み、前記注水箱の左側面には固定板が前後対称的に固定的に装着され、前記注水箱の左側面のうち前記固定板の下方に位置しているところには固定箱が固定的に装着され、前記固定箱の中には上方へ開口した水蓄えチャンバが設置され、前記水蓄えチャンバの中及び前後両側の前記固定板の間には植え鉢が設置され、前記植え鉢の中には上方へ開口した植物を植えられる植えチャンバが設置され、前記植え鉢の中にはまた前記植え鉢の中の水が流失することを防止できる制御機構が設置され、前記制御機構は前側の前記固定板の前側面と後側の前記固定板の後側面とに回転できるように装着された動力ロッドを含み、前記動力ロッドが上側の前記植え鉢を貫通しており、前記固定箱の前側面と後側面との間には伝動ロッドが回転できるように装着され、前記伝動ロッドが下側の前記植え鉢を貫通しており、前記動力ロッドと前記伝動ロッドとの間には伝動機構が設置され、前記植え鉢の中には流水出口が設置され、前記流水出口の左側には引き動かしチャンバが設置され、前記引き動かしチャンバの中には阻みブロックがスライドできるように装着され、前記阻みブロックが前記流水出口を密封でき、下側の前記植え鉢が左右に移動すると、前記伝動ロッドが回転して前記伝動機構により前記動力ロッドを連動させて回転させ、前記阻みブロックが前記流水出口を密封するかどうかを制御し、
前記注水箱の中には下側の前記植え鉢を連動させて移動させることができる移動機構が設置され、前記注水箱の中にはまた前記植え鉢の中の植物に注水を行う注水機構が設置されたことを特徴とする家庭ベランダ用伸縮できて滑り落ち防止の植物に注水可能な装置。
【請求項２】
前記伝動機構は連結ロッドと、ばねチャンバと、伸縮ロッドと、第一ばねとによって組み合わせられ、
前記連結ロッドが動力ロッドに前後対称的に固定的に装着され、前記連結ロッドの中には下方へ開口したばねチャンバが設置され、前記伝動ロッドには伸縮ロッドが前後対称的に固定的に装着され、前記伸縮ロッドと前記ばねチャンバとがスライドできるように装着され、前記伸縮ロッドの頂面と前記ばねチャンバの頂壁との間には第一ばねが固定的に装着されていることを特徴とする請求項１に記載の家庭ベランダ用伸縮できて滑り落ち防止の植物に注水可能な装置。
【請求項３】
前記制御機構はまた伝動機構と、ギヤと、ひもと、第二ばねとにより組み合わせられ、
前記伝動チャンバは前記植え鉢の中に設置され、前記伝動ロッド及び前記動力ロッドのうち前記伝動チャンバの中に位置しているところにはギヤが固定的に装着され、前記ギヤと前記阻みブロックの左側面との間にはひもが固定的に装着され、前記阻みブロックの左側面と前記引き動かしチャンバの左側内壁との間には第二ばねが固定的に装着されていることを特徴とする請求項１に記載の家庭ベランダ用伸縮できて滑り落ち防止の植物に注水可能な装置。
【請求項４】
上側の前記流水出口の底壁にはゴムホースが固定的に装着され、雨の日に、流水出口が開いた状態にあり、上側の植え鉢の中で、雨水がゴムホースにより水蓄えチャンバに流れ、これにより植物が冠水で死ぬことが発生しないことを特徴とする請求項１に記載の家庭ベランダ用伸縮できて滑り落ち防止の植物に注水可能な装置。
【請求項５】
前記移動機構は移動チャンバと、噛み合いチャンバと、モータと、ネジロッドと、移動ブロックと、ヒンジ連結ロッドと、リミットチャンバと、補助ブロックとにより組み合わせられ、
前記移動チャンバは左方へ開口しており、且つ前記注水箱の中に設置され、前記移動チャンバの上方には噛み合いチャンバが設置され、前記噛み合いチャンバの頂壁の中にはモータが固定的に装着され、前記モータの下向きの出力軸の底面にはネジロッドが固定的に装着され、前記ネジロッドが下方へ前記移動チャンバの底壁の中まで伸びており、前記移動チャンバの中には移動ブロックがスライドできるように装着され、前記移動ブロックが前記ネジロッドとネジ山により装着され、前記移動ブロックと下側の前記植え鉢との間にはヒンジ連結ロッドがヒンジにより連結され、前記水蓄えチャンバの前後内壁にはリミットチャンバが連通するように設置され、前記伝動ロッドが前記リミットチャンバとスライドできるように装着され、下側の前記植え鉢には補助ブロックが前後対称的に固定的に装着され、前記補助ブロックが前記リミットチャンバとスライドできるように装着されていることを特徴とする請求項１に記載の家庭ベランダ用伸縮できて滑り落ち防止の植物に注水可能な装置。
【請求項６】
前記注水機構は貯水チャンバと、引き動かしブロックと、ネジ山チャンバと、ネジ山ブロックと、第一ベベルギヤと、第二ベベルギヤとにより組み合わせられ、
前記貯水チャンバが上方へ開口しており、且つ前記注水箱の頂面に設置され、前記貯水チャンバの底壁には引き動かしブロックがスライドできるように装着され、前記貯水チャンバの右側にはネジ山チャンバが設置され、前記引き動かしブロックが右方へ伸びて前記ネジ山チャンバの左側内壁を貫通しており、前記ネジ山チャンバの中にはネジ山ブロックがスライドできるように装着され、前記ネジ山ブロックの頂面が前記引き動かしブロックの底面と固定的に連結され、前記ネジロッドのうち前記噛み合いチャンバの中に位置しているところには第一ベベルギヤが固定的に装着され、前記ネジ山チャンバの右側内壁の中には前記噛み合いチャンバの右側内壁を貫通している回転ロッドが回転できるように装着され、前記回転ロッドの左側面には第二ベベルギヤが固定的に装着され、前記第二ベベルギヤと前記第一ベベルギヤとが噛み合っており、前記回転ロッドが前記ネジ山ブロックとネジ山により装着されていることを特徴とする請求項１に記載の家庭ベランダ用伸縮できて滑り落ち防止の植物に注水可能な装置。
【請求項７】
前記引き動かしブロックの中には抜き孔が設置され、前記貯水チャンバの底壁には前記注水箱の左側面を貫通している第一水管が連通するように設置され、前記第一水管の底面には第二水管が連通するように設置され、前記抜き孔が前記第一水管と連通でき、前記貯水チャンバの底壁のうち前記第一水管の左側に位置しているところには第三水管が連通するように設置され、前記第三水管のうち上側の前記植え鉢の上方に位置しているところには動力ロッドが設置されていることを特徴とする請求項６に記載の家庭ベランダ用伸縮できて滑り落ち防止の植物に注水可能な装置。
【請求項８】
前記注水箱の右側面には固定ブロックが上下対称的に固定的に装着され、前記固定箱の底面には支持スタンドが固定的に装着され、前記支持スタンドと前記固定ブロックとにより装置全体を固定することができることを特徴とする請求項１に記載の家庭ベランダ用伸縮できて滑り落ち防止の植物に注水可能な装置。
【請求項９】
前記水蓄えチャンバの底壁の中には推し動かしチャンバが連通するように設置され、前記推し動かしチャンバが右方へ伸びて前記注水箱の右側面を貫通しており、前記推し動かしチャンバの中には推し動かし板がスライドできるように装着され、前記推し動かし板の底面と前記推し動かしチャンバの底壁との間には第三ばねが固定的に装着されていることを特徴とする請求項５に記載の家庭ベランダ用伸縮できて滑り落ち防止の植物に注水可能な装置。
【発明の詳細な説明】
【技術分野】
【０００１】
本発明は植木鉢栽培技術分野を取り上げて、具体的には家庭ベランダ用伸縮できて滑り落ち防止の植物に注水可能な装置である。
【背景技術】
【０００２】
装飾と美観のため、または個人の趣味と好みのため、人はよくベランダで植物を植えるのを好み、家で植物を植えることは生活の面白さを添えるだけではなく、更に生命に生気を与え、しかも心身の健康によく、情操を陶冶し、生活に対する情熱を喚起する。
ベランダにあるほとんどの植物に注水可能な装置が植木鉢であり、一般の植木鉢の底端に一つの排水孔が開いており、それによって注がれた水が排水孔を通して排出されることができ、晴れた日に排水孔を塞ぎにくいため、水分の速い流失を防止できなく、また、一般の植物に注水可能な装置は一列の植物しか植えられなく、複数列の植物を植えられる注水装置が植物を連動させて移動させることができなく、上方の列の植物が下方の列の植物の光を吸収することを妨げ、一般の注水装置に固定部品がなく、注水装置をベランダに置くだけで、注水装置が落ちる可能性がある。
【先行技術文献】
【特許文献】
【０００３】
【特許文献１】中国特許出願公開第１０３４４４４９７号明細書
【発明の概要】
【発明が解決しようとする課題】
【０００４】
本発明は家庭ベランダ用伸縮できて滑り落ち防止の植物に注水可能な装置を提供し、従来技術における上記欠点を解消することを目的とする。
【課題を解決するための手段】
【０００５】
本発明の実施例の家庭ベランダ用伸縮できて滑り落ち防止の植物に注水可能な装置は、注水箱を含み、前記注水箱の左側面には固定板が前後対称的に固定的に装着され、前記注水箱の左側面のうち前記固定板の下方に位置しているところには固定箱が固定的に装着され、前記固定箱の中には上方へ開口した水蓄えチャンバが設置され、前記水蓄えチャンバの中及び前後両側の前記固定板の間には植え鉢が設置され、前記植え鉢の中には上方へ開口した植物を植えられる植えチャンバが設置され、前記植え鉢の中にはまた前記植え鉢の中の水が流失することを防止できる制御機構が設置され、前記制御機構は前側の前記固定板の前側面と後側の前記固定板の後側面とに回転できるように装着された動力ロッドを含み、前記動力ロッドが上側の前記植え鉢を貫通しており、前記固定箱の前側面と後側面との間には伝動ロッドが回転できるように装着され、前記伝動ロッドが下側の前記植え鉢を貫通しており、前記動力ロッドと前記伝動ロッドとの間には伝動機構が設置され、前記植え鉢の中には流水出口が設置され、前記流水出口の左側には引き動かしチャンバが設置され、前記引き動かしチャンバの中には阻みブロックがスライドできるように装着され、前記阻みブロックが前記流水出口を密封でき、下側の前記植え鉢が左右に移動すると、前記伝動ロッドが回転して前記伝動機構により前記動力ロッドを連動させて回転させ、前記阻みブロックが前記流水出口を密封するかどうかを制御する。
【０００６】
前記注水箱の中には下側の前記植え鉢を連動させて移動させることができる移動機構が設置され、前記注水箱の中にはまた前記植え鉢の中の植物に注水を行う注水機構が設置された。
【０００７】
上記の技術プランに基づき、前記伝動機構は連結ロッドと、ばねチャンバと、伸縮ロッドと、第一ばねとによって組み合わせられ、前記連結ロッドが動力ロッドに前後対称的に固定的に装着され、前記連結ロッドの中には下方へ開口したばねチャンバが設置され、前記伝動ロッドには伸縮ロッドが前後対称的に固定的に装着され、前記伸縮ロッドと前記ばねチャンバとがスライドできるように装着され、前記伸縮ロッドの頂面と前記ばねチャンバの頂壁との間には第一ばねが固定的に装着されている。
【０００８】
上記の技術プランに基づき、前記制御機構はまた伝動機構と、ギヤと、ひもと、第二ばねとにより組み合わせられ、前記伝動チャンバは前記植え鉢の中に設置され、前記伝動ロッド及び前記動力ロッドのうち前記伝動チャンバの中に位置しているところにはギヤが固定的に装着され、前記ギヤと前記阻みブロックの左側面との間にはひもが固定的に装着され、前記阻みブロックの左側面と前記引き動かしチャンバの左側内壁との間には第二ばねが固定的に装着されている。        
【０００９】
上記の技術プランに基づき、上側の前記流水出口の底壁にはゴムホースが固定的に装着され、雨の日に、流水出口が開いた状態にあり、上側の植え鉢の中で、雨水がゴムホースにより水蓄えチャンバに流れ、これにより植物が冠水で死ぬことが発生しない。
【００１０】
上記の技術プランに基づき、前記移動機構は移動チャンバと、噛み合いチャンバと、モータと、ネジロッドと、移動ブロックと、リミットチャンバと、補助ブロックとによって組み合わせられ、前記移動チャンバが前記注水箱の中に左方へ開口するように設置され、前記移動チャンバの上方には噛み合いチャンバが設置され、前記噛み合いチャンバの頂壁の中にはモータが固定的に装着され、前記モータの下向きの出力軸の底面にはネジロッドが固定的に装着され、前記ネジロッドが下方へ前記移動チャンバの底壁の中まで伸びており、前記移動チャンバの中には移動ブロックがスライドできるように装着され、前記移動ブロックが前記ネジロッドとネジ山により装着され、前記移動ブロックと下側の前記植え鉢との間にはヒンジ連結ロッドがヒンジにより連結され、前記水蓄えチャンバの前後内壁にはリミットチャンバが連通するように設置され、前記伝動ロッドが前記リミットチャンバとスライドできるように装着され、下側の前記植え鉢には補助ブロックが前後対称的に固定的に装着され、前記補助ブロックが前記リミットチャンバとスライドできるように装着されている。
【００１１】
上記の技術プランに基づき、前記注水機構は貯水チャンバと、引き動かしブロックと、ネジ山チャンバと、ネジ山ブロックと、第一ベベルギヤと、第二ベベルギヤとによって組み合わせられ、前記貯水チャンバが前記注水箱の頂面に上方へ開口するように設置され、前記貯水チャンバの底壁には引き動かしブロックがスライドできるように装着され、前記貯水チャンバの右側にはネジ山チャンバが設置され、前記引き動かしブロックが右方へ伸びて前記ネジ山チャンバの左側内壁を貫通しており、前記ネジ山チャンバの中にはネジ山ブロックがスライドできるように装着され、前記ネジ山ブロックの頂面が前記引き動かしブロックの底面と固定的に連結され、前記ネジロッドのうち前記噛み合いチャンバの中に位置しているところには第一ベベルギヤが固定的に装着され、前記ネジ山チャンバの右側内壁の中には前記噛み合いチャンバの右側内壁を貫通している回転ロッドが回転できるように装着され、前記回転ロッドの左側面には第二ベベルギヤが固定的に装着され、前記第二ベベルギヤと前記第一ベベルギヤとが噛み合っており、前記回転ロッドが前記ネジ山ブロックとネジ山により装着されている。
【００１２】
上記の技術プランに基づき、前記引き動かしブロックの中には抜き孔が設置され、前記貯水チャンバの底壁には前記注水箱の左側面を貫通している第一水管が連通するように設置され、前記第一水管の底面には第二水管が連通するように設置され、前記抜き孔が前記第一水管と連通でき、前記貯水チャンバの底壁のうち前記第一水管の左側に位置しているところには第三水管が連通するように設置され、前記第三水管のうち上側の前記植え鉢の上方に位置しているところには動力ロッドが設置されている。
【００１３】
上記の技術プランに基づき、前記注水箱の右側面には固定ブロックが上下対称的に固定的に装着され、前記固定箱の底面には支持スタンドが固定的に装着され、前記支持スタンドと前記固定ブロックとにより装置全体を固定することができる。
【００１４】
上記の技術プランに基づき、前記水蓄えチャンバの底壁の中には推し動かしチャンバが連通するように設置され、前記推し動かしチャンバが右方へ伸びて前記注水箱の右側面を貫通しており、前記推し動かしチャンバの中には推し動かし板がスライドできるように装着され、前記推し動かし板の底面と前記推し動かしチャンバの底壁との間には第三ばねが固定的に装着されている。
【発明の効果】
【００１５】
本発明の有益効果は：本発明は晴れた日に移動機構の中のヒンジ連結ロッドにより下側の植え鉢を推し動かして左方へ移動させることができ、これにより上下両側の植え鉢の位置をずらし、上下両側の植え鉢の中の植物が光の照射を受けられ、上側の植え鉢が下側の植え鉢の太陽を遮らなく、植物の成長に有利であり、しかも制御機構が晴れた日に阻みブロックにより流水出口を密封でき、植え鉢の中の水分が流水出口により流失することを防止し、水分の流失速度を下げ、雨の日に植え鉢に落ちた雨水が流水出口により流出でき、植物が冠水で死ぬことを防止し、固定ブロックと支持スタンドとにより注水装置をベランダに固定し、注水装置が落ちることを防止し、行人の安全を保証し、普及する価値がある。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の構成模式図
【図２】図２は図１の中のＡのところの拡大模式図
【図３】図３は図１の中のＢ―Ｂ方向の断面構成模式図
【図４】図４は図１の中のＣ―Ｃ方向の断面構成模式図
【図５】図５は図１の中のＤのところの拡大模式図
【発明を実施するための形態】
【００１８】
図１〜５を参照し、本発明の実施例の家庭ベランダ用伸縮できて滑り落ち防止の植物に注水可能な装置は、注水箱５６を含み、前記注水箱５６の左側面には固定板１１が前後対称的に固定的に装着され、前記注水箱５６の左側面のうち前記固定板１１の下方に位置しているところには固定箱１６が固定的に装着され、前記固定箱１６の中には上方へ開口した水蓄えチャンバ１５が設置され、前記水蓄えチャンバ１５の中及び前後両側の前記固定板１１の間には植え鉢２２が設置され、前記植え鉢２２の中には上方へ開口した植物を植えられる植えチャンバ２３が設置され、前記植え鉢２２の中にはまた前記植え鉢２２の中の水が流失することを防止できる制御機構１０１が設置され、前記制御機構１０１は前側の前記固定板１１の前側面と後側の前記固定板１１の後側面とに回転できるように装着された動力ロッド５７を含み、前記動力ロッド５７が上側の前記植え鉢２２を貫通しており、前記固定箱１６の前側面と後側面との間には伝動ロッド４９が回転できるように装着され、前記伝動ロッド４９が下側の前記植え鉢２２を貫通しており、前記動力ロッド５７と前記伝動ロッド４９との間には伝動機構１０２が設置され、前記植え鉢２２の中には流水出口５４が設置され、前記流水出口５４の左側には引き動かしチャンバ５１が設置され、前記引き動かしチャンバ５１の中には阻みブロック５３がスライドできるように装着され、前記阻みブロック５３が前記流水出口５４を密封でき、下側の前記植え鉢２２が左右に移動すると、前記伝動ロッド４９が回転して前記伝動機構１０２により前記動力ロッド５７を連動させて回転させ、前記阻みブロック５３が前記流水出口５４を密封するかどうかを制御し、前記注水箱５６の中には下側の前記植え鉢２２を連動させて移動させることができる移動機構１０３が設置され、前記注水箱５６の中にはまた前記植え鉢２２の中の植物に注水を行う注水機構１０４が設置された。  
【００１９】
また、一つの実施例の中で、前記伝動機構１０２は前記動力ロッド５７に前後対称的に固定的に装着された連結ロッド２０を含み、前記連結ロッド２０の中には下方へ開口したばねチャンバ４６が設置され、前記伝動ロッド４９には伸縮ロッド１８が前後対称的に固定的に装着され、前記伸縮ロッド１８と前記ばねチャンバ４６とがスライドできるように装着され、前記伸縮ロッド１８の頂面と前記ばねチャンバ４６の頂壁との間には第一ばね２１が固定的に装着され、晴れた日に、移動機構１０３が植え鉢２２を推し動かして左方へ移動させ、伸縮ロッド１８が伝動ロッド４９を連動させて回転させ、伸縮ロッド１８がばねチャンバ４６の中でスライドし、これにより連結ロッド２０が回転し、連結ロッド２０が動力ロッド５７を連動させて回転させる。
【００２０】
また、一つの実施例の中で、前記制御機構１０１はまた前記植え鉢２２の中に設置された伝動チャンバ４７を含み、前記伝動ロッド４９及び前記動力ロッド５７のうち前記伝動チャンバ４７の中に位置しているところにはギヤ４８が固定的に装着され、前記ギヤ４８と前記阻みブロック５３の左側面との間にはひも５０が固定的に装着され、前記阻みブロック５３の左側面と前記引き動かしチャンバ５１の左側内壁との間には第二ばね５２が固定的に装着され、これにより伝動ロッド４９と動力ロッド５７とが回転すると、ギヤ４８を連動させて回転させ、ギヤ４８が回転してひも５０と第二ばね５２とにより阻みブロック５３を右方へ移動させ、流水出口５４を密封し、植え鉢２２の中の水分が流失することを防止する。
【００２１】
また、一つの実施例の中で、上側の前記流水出口５４の底壁にはゴムホース４１が固定的に装着され、雨の日に、流水出口５４が開いた状態にあり、上側の植え鉢２２の中で、雨水がゴムホース４１により水蓄えチャンバ１５に流れ、これにより植物が冠水で死ぬことが発生しない。
【００２２】
また、一つの実施例の中で、前記移動機構１０３は前記注水箱５６の中に設置された左方へ開口した移動チャンバ４２を含み、前記移動チャンバ４２の上方には噛み合いチャンバ４４が設置され、前記噛み合いチャンバ４４の頂壁の中にはモータ２６が固定的に装着され、前記モータ２６の下向きの出力軸の底面にはネジロッド３６が固定的に装着され、前記ネジロッド３６が下方へ前記移動チャンバ４２の底壁の中まで伸びており、前記移動チャンバ４２の中には移動ブロック３５がスライドできるように装着され、前記移動ブロック３５が前記ネジロッド３６とネジ山により装着され、前記移動ブロック３５と下側の前記植え鉢２２との間にはヒンジ連結ロッド４３がヒンジにより連結され、前記水蓄えチャンバ１５の前後内壁にはリミットチャンバ１４が連通するように設置され、前記伝動ロッド４９が前記リミットチャンバ１４とスライドできるように装着され、下側の前記植え鉢２２には補助ブロック５５が前後対称的に固定的に装着され、前記補助ブロック５５が前記リミットチャンバ１４とスライドできるように装着され、これにより晴れた日に、モータ２６が起動してネジロッド３６を連動させて回転させ、ネジロッド３６が回転して移動ブロック３５を連動させて下方へ移動させ、移動ブロック３５がヒンジ連結ロッド４３により下側の植え鉢２２を推し動かして左方へ移動させる。
【００２３】
また、一つの実施例の中で、前記注水機構１０４は前記注水箱５６の頂面に設置された上方へ開口した貯水チャンバ２８を含み、前記貯水チャンバ２８の底壁には引き動かしブロック２７がスライドできるように装着され、前記貯水チャンバ２８の右側にはネジ山チャンバ３０が設置され、前記引き動かしブロック２７が右方へ伸びて前記ネジ山チャンバ３０の左側内壁を貫通しており、前記ネジ山チャンバ３０の中にはネジ山ブロック３１がスライドできるように装着され、前記ネジ山ブロック３１の頂面が前記引き動かしブロック２７の底面と固定的に連結され、前記ネジロッド３６のうち前記噛み合いチャンバ４４の中に位置しているところには第一ベベルギヤ４５が固定的に装着され、前記ネジ山チャンバ３０の右側内壁の中には前記噛み合いチャンバ４４の右側内壁を貫通している回転ロッド３４が回転できるように装着され、前記回転ロッド３４の左側面には第二ベベルギヤ３３が固定的に装着され、前記第二ベベルギヤ３３と前記第一ベベルギヤ４５とが噛み合っており、前記回転ロッド３４が前記ネジ山ブロック３１とネジ山により装着され、これによりネジロッド３６が回転する時、ネジロッド３６が第一ベベルギヤ４５と第二ベベルギヤ３３との噛み合いにより回転ロッド３４を連動させて回転させ、回転ロッド３４が回転してネジ山ブロック３１を連動させて右方へ移動させ、これによりネジ山チャンバ３０が右方へ移動する。
【００２４】
また、一つの実施例の中で、前記引き動かしブロック２７の中には抜き孔２９が設置され、前記貯水チャンバ２８の底壁には前記注水箱５６の左側面を貫通している第一水管２５が連通するように設置され、前記第一水管２５の底面には第二水管２４が連通するように設置され、前記抜き孔２９が前記第一水管２５と連通でき、前記貯水チャンバ２８の底壁のうち前記第一水管２５の左側に位置しているところには第三水管１２が連通するように設置され、前記第三水管１２のうち上側の前記植え鉢２２の上方に位置しているところには動力ロッド５７が設置され、これにより曇った日に、下側の植え鉢２２が左方へ移動しなく、貯水チャンバ２８の中に水を加え、この時に抜き孔２９が第一水管２５と連通し、水が第一水管２５と第二水管２４とにより植え鉢２２の中の植物に注がれ、晴れた日に、下側の植え鉢２２が左方へ移動して上側の植え鉢２２とともに光の照射を受けられ、貯水チャンバ２８の中に水を加えることにより第三水管１２と動力ロッド５７とを通して植え鉢２２の中の植物に水をかけることができる。
【００２５】
また、一つの実施例の中で、前記注水箱５６の右側面には固定ブロック３２が上下対称的に固定的に装着され、前記固定箱１６の底面には支持スタンド１７が固定的に装着され、前記支持スタンド１７と前記固定ブロック３２とにより装置全体を固定することができる。
【００２６】
また、一つの実施例の中で、前記水蓄えチャンバ１５の底壁の中には推し動かしチャンバ４０が連通するように設置され、前記推し動かしチャンバ４０が右方へ伸びて前記注水箱５６の右側面を貫通しており、前記推し動かしチャンバ４０の中には推し動かし板３７がスライドできるように装着され、前記推し動かし板３７の底面と前記推し動かしチャンバ４０の底壁との間には第三ばね３９が固定的に装着され、これにより水蓄えチャンバ１５の中の水が多すぎる時、推し動かし板３７を押し、これにより水が流れて推し動かしチャンバ４０を通して出ることができる。
【００２７】
使用する時、晴れた日に、モータ２６が起動してネジロッド３６を連動させて回転させ、ネジロッド３６が回転して移動ブロック３５を連動させて下方へ移動させ、移動ブロック３５がヒンジ連結ロッド４３により下側の植え鉢２２を推し動かして左方へ移動させ、伸縮ロッド１８が伝動ロッド４９を連動させて回転させ、伸縮ロッド１８がばねチャンバ４６の中でスライドし、これにより連結ロッド２０が回転し、連結ロッド２０が動力ロッド５７を連動させて回転させ、伝動ロッド４９と動力ロッド５７とが回転すると、ギヤ４８を連動させて回転させ、ギヤ４８が回転してひも５０と第二ばね５２とにより阻みブロック５３を右方へ移動させ、流水出口５４を密封し、植え鉢２２の中の水分が流失することを防止し、雨の日に、流水出口５４が開いた状態にあり、上側の植え鉢２２の中で、雨水がゴムホース４１により水蓄えチャンバ１５に流れ、これにより植物が冠水で死ぬことが発生しなく、ネジロッド３６が回転すると、ネジロッド３６が第一ベベルギヤ４５と第二ベベルギヤ３３との噛み合いにより回転ロッド３４を連動させて回転させ、回転ロッド３４が回転してネジ山ブロック３１を連動させて右方へ移動させ、これによりネジ山チャンバ３０が右方へ移動し、曇った日に、下側の植え鉢２２が左方へ移動しなく、貯水チャンバ２８の中に水を加え、この時に抜き孔２９が第一水管２５と連通し、水が第一水管２５と第二水管２４とにより植え鉢２２の中の植物に注がれ、晴れた日に、下側の植え鉢２２が左方へ移動して上側の植え鉢２２とともに光の照射を受けられ、貯水チャンバ２８の中に水を加えることにより第三水管１２と動力ロッド５７とを通して植え鉢２２の中の植物に水をかけることができ、支持スタンド１７と固定ブロック３２とにより装置全体を固定することができ、水蓄えチャンバ１５の中の水が多すぎる時、推し動かし板３７を押し、これにより水が流れて推し動かしチャンバ４０を通して出ることができる。
【００２８】
本発明の有益効果は：本発明は晴れた日に移動機構の中のヒンジ連結ロッドにより下側の植え鉢を推し動かして左方へ移動させることができ、これにより上下両側の植え鉢の位置をずらし、上下両側の植え鉢の中の植物が光の照射を受けられ、上側の植え鉢が下側の植え鉢の太陽を遮らなく、植物の成長に有利であり、しかも制御機構が晴れた日に阻みブロックにより流水出口を密封でき、植え鉢の中の水分が流水出口により流失することを防止し、水分の流失速度を下げ、雨の日に植え鉢に落ちた雨水が流水出口により流出でき、植物が冠水で死ぬことを防止し、固定ブロックと支持スタンドとにより注水装置をベランダに固定し、注水装置が落ちることを防止し、行人の安全を保証し、普及する価値がある。
【００２９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020198862.tif 000003
【図２】
2020198862.tif 000004
【図３】
2020198862.tif 000005
【図４】
2020198862.tif 000006
【図５】
2020198862.tif 000007
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、注水箱を含み、前記注水箱の左側面には固定板が前後対称的に固定的に装着され、前記注水箱の左側面のうち前記固定板の下方に位置しているところには固定箱が固定的に装着され、前記固定箱の中には上方へ開口した水蓄えチャンバが設置され、前記水蓄えチャンバの中及び前後両側の前記固定板の間には植え鉢が設置され、前記植え鉢の中には上方へ開口した植物を植えられる植えチャンバが設置され、前記植え鉢の中にはまた前記植え鉢の中の水が流失することを防止できる制御機構が設置され、前記制御機構は前側の前記固定板の前側面と後側の前記固定板の後側面とに回転できるように装着された動力ロッドを含み、前記動力ロッドが上側の前記植え鉢を貫通しており、前記固定箱の前側面と後側面との間には伝動ロッドが回転できるように装着され、前記伝動ロッドが下側の前記植え鉢を貫通しており、前記動力ロッドと前記伝動ロッドとの間には伝動機構が設置され、前記植え鉢の中には流水出口が設置され、前記流水出口の左側には引き動かしチャンバが設置され、前記引き動かしチャンバの中には阻みブロックがスライドできるように装着され、前記阻みブロックが前記流水出口を密封でき、下側の前記植え鉢が左右に移動すると、前記伝動ロッドが回転して前記伝動機構により前記動力ロッドを連動させて回転させ、前記阻みブロックが前記流水出口を密封するかどうかを制御し、
前記注水箱の中には下側の前記植え鉢を連動させて移動させることができる移動機構が設置され、前記注水箱の中にはまた前記植え鉢の中の植物に注水を行う注水機構が設置されたことを特徴とする家庭ベランダ用伸縮できて滑り落ち防止の植物に注水可能な装置。
【請求項２】
前記伝動機構は連結ロッドと、ばねチャンバと、伸縮ロッドと、第一ばねとによって組み合わせられ、
前記連結ロッドが動力ロッドに前後対称的に固定的に装着され、前記連結ロッドの中には下方へ開口したばねチャンバが設置され、前記伝動ロッドには伸縮ロッドが前後対称的に固定的に装着され、前記伸縮ロッドと前記ばねチャンバとがスライドできるように装着され、前記伸縮ロッドの頂面と前記ばねチャンバの頂壁との間には第一ばねが固定的に装着されていることを特徴とする請求項１に記載の家庭ベランダ用伸縮できて滑り落ち防止の植物に注水可能な装置。
【請求項３】
前記制御機構はまた伝動チャンバと、ギヤと、ひもと、第二ばねとにより組み合わせられ、
前記伝動チャンバは前記植え鉢の中に設置され、前記伝動ロッド及び前記動力ロッドのうち前記伝動チャンバの中に位置しているところにはギヤが固定的に装着され、前記ギヤと前記阻みブロックの左側面との間にはひもが固定的に装着され、前記阻みブロックの左側面と前記引き動かしチャンバの左側内壁との間には第二ばねが固定的に装着されていることを特徴とする請求項１に記載の家庭ベランダ用伸縮できて滑り落ち防止の植物に注水可能な装置。
【請求項４】
上側の前記流水出口の底壁にはゴムホースが固定的に装着され、雨の日に、流水出口が開いた状態にあり、上側の植え鉢の中で、雨水がゴムホースにより水蓄えチャンバに流れ、これにより植物が冠水で死ぬことが発生しないことを特徴とする請求項１に記載の家庭ベランダ用伸縮できて滑り落ち防止の植物に注水可能な装置。
【請求項５】
前記移動機構は移動チャンバと、噛み合いチャンバと、モータと、ネジロッドと、移動ブロックと、ヒンジ連結ロッドと、リミットチャンバと、補助ブロックとにより組み合わせられ、
前記移動チャンバは左方へ開口しており、且つ前記注水箱の中に設置され、前記移動チャンバの上方には噛み合いチャンバが設置され、前記噛み合いチャンバの頂壁の中にはモータが固定的に装着され、前記モータの下向きの出力軸の底面にはネジロッドが固定的に装着され、前記ネジロッドが下方へ前記移動チャンバの底壁の中まで伸びており、前記移動チャンバの中には移動ブロックがスライドできるように装着され、前記移動ブロックが前記ネジロッドとネジ山により装着され、前記移動ブロックと下側の前記植え鉢との間にはヒンジ連結ロッドがヒンジにより連結され、前記水蓄えチャンバの前後内壁にはリミットチャンバが連通するように設置され、前記伝動ロッドが前記リミットチャンバとスライドできるように装着され、下側の前記植え鉢には補助ブロックが前後対称的に固定的に装着され、前記補助ブロックが前記リミットチャンバとスライドできるように装着されていることを特徴とする請求項１に記載の家庭ベランダ用伸縮できて滑り落ち防止の植物に注水可能な装置。
【請求項６】
前記注水機構は貯水チャンバと、引き動かしブロックと、ネジ山チャンバと、ネジ山ブロックと、第一ベベルギヤと、第二ベベルギヤとにより組み合わせられ、
前記貯水チャンバが上方へ開口しており、且つ前記注水箱の頂面に設置され、前記貯水チャンバの底壁には引き動かしブロックがスライドできるように装着され、前記貯水チャンバの右側にはネジ山チャンバが設置され、前記引き動かしブロックが右方へ伸びて前記ネジ山チャンバの左側内壁を貫通しており、前記ネジ山チャンバの中にはネジ山ブロックがスライドできるように装着され、前記ネジ山ブロックの頂面が前記引き動かしブロックの底面と固定的に連結され、前記ネジロッドのうち前記噛み合いチャンバの中に位置しているところには第一ベベルギヤが固定的に装着され、前記ネジ山チャンバの右側内壁の中には前記噛み合いチャンバの右側内壁を貫通している回転ロッドが回転できるように装着され、前記回転ロッドの左側面には第二ベベルギヤが固定的に装着され、前記第二ベベルギヤと前記第一ベベルギヤとが噛み合っており、前記回転ロッドが前記ネジ山ブロックとネジ山により装着されていることを特徴とする請求項１に記載の家庭ベランダ用伸縮できて滑り落ち防止の植物に注水可能な装置。
【請求項７】
前記引き動かしブロックの中には抜き孔が設置され、前記貯水チャンバの底壁には前記注水箱の左側面を貫通している第一水管が連通するように設置され、前記第一水管の底面には第二水管が連通するように設置され、前記抜き孔が前記第一水管と連通でき、前記貯水チャンバの底壁のうち前記第一水管の左側に位置しているところには第三水管が連通するように設置され、前記第三水管のうち上側の前記植え鉢の上方に位置しているところには噴出孔が設置されていることを特徴とする請求項６に記載の家庭ベランダ用伸縮できて滑り落ち防止の植物に注水可能な装置。
【請求項８】
前記注水箱の右側面には固定ブロックが上下対称的に固定的に装着され、前記固定箱の底面には支持スタンドが固定的に装着され、前記支持スタンドと前記固定ブロックとにより装置全体を固定することができることを特徴とする請求項１に記載の家庭ベランダ用伸縮できて滑り落ち防止の植物に注水可能な装置。
【請求項９】
前記水蓄えチャンバの底壁の中には推し動かしチャンバが連通するように設置され、前記推し動かしチャンバが右方へ伸びて前記注水箱の右側面を貫通しており、前記推し動かしチャンバの中には推し動かし板がスライドできるように装着され、前記推し動かし板の底面と前記推し動かしチャンバの底壁との間には第三ばねが固定的に装着されていることを特徴とする請求項５に記載の家庭ベランダ用伸縮できて滑り落ち防止の植物に注水可能な装置。
【手続補正２】
【補正対象書類名】明細書
【補正対象項目名】全文
【補正方法】変更
【補正の内容】
【発明の詳細な説明】
【技術分野】
【０００１】
本発明は植木鉢栽培技術分野を取り上げて、具体的には家庭ベランダ用伸縮できて滑り落ち防止の植物に注水可能な装置である。
【背景技術】
【０００２】
装飾と美観のため、または個人の趣味と好みのため、人はよくベランダで植物を植えるのを好み、家で植物を植えることは生活の面白さを添えるだけではなく、更に生命に生気を与え、しかも心身の健康によく、情操を陶冶し、生活に対する情熱を喚起する。
ベランダにあるほとんどの植物に注水可能な装置が植木鉢であり、一般の植木鉢の底端に一つの排水孔が開いており、それによって注がれた水が排水孔を通して排出されることができ、晴れた日に排水孔を塞ぎにくいため、水分の速い流失を防止できなく、また、一般の植物に注水可能な装置は一列の植物しか植えられなく、複数列の植物を植えられる注水装置が植物を連動させて移動させることができなく、上方の列の植物が下方の列の植物の光を吸収することを妨げ、一般の注水装置に固定部品がなく、注水装置をベランダに置くだけで、注水装置が落ちる可能性がある。
【先行技術文献】
【特許文献】
【０００３】
【特許文献１】中国特許出願公開第１０３４４４４９７号明細書
【発明の概要】
【発明が解決しようとする課題】
【０００４】
本発明は家庭ベランダ用伸縮できて滑り落ち防止の植物に注水可能な装置を提供し、従来技術における上記欠点を解消することを目的とする。
【課題を解決するための手段】
【０００５】
本発明の実施例の家庭ベランダ用伸縮できて滑り落ち防止の植物に注水可能な装置は、注水箱を含み、前記注水箱の左側面には固定板が前後対称的に固定的に装着され、前記注水箱の左側面のうち前記固定板の下方に位置しているところには固定箱が固定的に装着され、前記固定箱の中には上方へ開口した水蓄えチャンバが設置され、前記水蓄えチャンバの中及び前後両側の前記固定板の間には植え鉢が設置され、前記植え鉢の中には上方へ開口した植物を植えられる植えチャンバが設置され、前記植え鉢の中にはまた前記植え鉢の中の水が流失することを防止できる制御機構が設置され、前記制御機構は前側の前記固定板の前側面と後側の前記固定板の後側面とに回転できるように装着された動力ロッドを含み、前記動力ロッドが上側の前記植え鉢を貫通しており、前記固定箱の前側面と後側面との間には伝動ロッドが回転できるように装着され、前記伝動ロッドが下側の前記植え鉢を貫通しており、前記動力ロッドと前記伝動ロッドとの間には伝動機構が設置され、前記植え鉢の中には流水出口が設置され、前記流水出口の左側には引き動かしチャンバが設置され、前記引き動かしチャンバの中には阻みブロックがスライドできるように装着され、前記阻みブロックが前記流水出口を密封でき、下側の前記植え鉢が左右に移動すると、前記伝動ロッドが回転して前記伝動機構により前記動力ロッドを連動させて回転させ、前記阻みブロックが前記流水出口を密封するかどうかを制御する。
【０００６】
前記注水箱の中には下側の前記植え鉢を連動させて移動させることができる移動機構が設置され、前記注水箱の中にはまた前記植え鉢の中の植物に注水を行う注水機構が設置された。
【０００７】
上記の技術プランに基づき、前記伝動機構は連結ロッドと、ばねチャンバと、伸縮ロッドと、第一ばねとによって組み合わせられ、前記連結ロッドが動力ロッドに前後対称的に固定的に装着され、前記連結ロッドの中には下方へ開口したばねチャンバが設置され、前記伝動ロッドには伸縮ロッドが前後対称的に固定的に装着され、前記伸縮ロッドと前記ばねチャンバとがスライドできるように装着され、前記伸縮ロッドの頂面と前記ばねチャンバの頂壁との間には第一ばねが固定的に装着されている。
【０００８】
上記の技術プランに基づき、前記制御機構はまた伝動機構と、ギヤと、ひもと、第二ばねとにより組み合わせられ、前記伝動チャンバは前記植え鉢の中に設置され、前記伝動ロッド及び前記動力ロッドのうち前記伝動チャンバの中に位置しているところにはギヤが固定的に装着され、前記ギヤと前記阻みブロックの左側面との間にはひもが固定的に装着され、前記阻みブロックの左側面と前記引き動かしチャンバの左側内壁との間には第二ばねが固定的に装着されている。        
【０００９】
上記の技術プランに基づき、上側の前記流水出口の底壁にはゴムホースが固定的に装着され、雨の日に、流水出口が開いた状態にあり、上側の植え鉢の中で、雨水がゴムホースにより水蓄えチャンバに流れ、これにより植物が冠水で死ぬことが発生しない。
【００１０】
上記の技術プランに基づき、前記移動機構は移動チャンバと、噛み合いチャンバと、モータと、ネジロッドと、移動ブロックと、リミットチャンバと、補助ブロックとによって組み合わせられ、前記移動チャンバが前記注水箱の中に左方へ開口するように設置され、前記移動チャンバの上方には噛み合いチャンバが設置され、前記噛み合いチャンバの頂壁の中にはモータが固定的に装着され、前記モータの下向きの出力軸の底面にはネジロッドが固定的に装着され、前記ネジロッドが下方へ前記移動チャンバの底壁の中まで伸びており、前記移動チャンバの中には移動ブロックがスライドできるように装着され、前記移動ブロックが前記ネジロッドとネジ山により装着され、前記移動ブロックと下側の前記植え鉢との間にはヒンジ連結ロッドがヒンジにより連結され、前記水蓄えチャンバの前後内壁にはリミットチャンバが連通するように設置され、前記伝動ロッドが前記リミットチャンバとスライドできるように装着され、下側の前記植え鉢には補助ブロックが前後対称的に固定的に装着され、前記補助ブロックが前記リミットチャンバとスライドできるように装着されている。
【００１１】
上記の技術プランに基づき、前記注水機構は貯水チャンバと、引き動かしブロックと、ネジ山チャンバと、ネジ山ブロックと、第一ベベルギヤと、第二ベベルギヤとによって組み合わせられ、前記貯水チャンバが前記注水箱の頂面に上方へ開口するように設置され、前記貯水チャンバの底壁には引き動かしブロックがスライドできるように装着され、前記貯水チャンバの右側にはネジ山チャンバが設置され、前記引き動かしブロックが右方へ伸びて前記ネジ山チャンバの左側内壁を貫通しており、前記ネジ山チャンバの中にはネジ山ブロックがスライドできるように装着され、前記ネジ山ブロックの頂面が前記引き動かしブロックの底面と固定的に連結され、前記ネジロッドのうち前記噛み合いチャンバの中に位置しているところには第一ベベルギヤが固定的に装着され、前記ネジ山チャンバの右側内壁の中には前記噛み合いチャンバの右側内壁を貫通している回転ロッドが回転できるように装着され、前記回転ロッドの左側面には第二ベベルギヤが固定的に装着され、前記第二ベベルギヤと前記第一ベベルギヤとが噛み合っており、前記回転ロッドが前記ネジ山ブロックとネジ山により装着されている。
【００１２】
上記の技術プランに基づき、前記引き動かしブロックの中には抜き孔が設置され、前記貯水チャンバの底壁には前記注水箱の左側面を貫通している第一水管が連通するように設置され、前記第一水管の底面には第二水管が連通するように設置され、前記抜き孔が前記第一水管と連通でき、前記貯水チャンバの底壁のうち前記第一水管の左側に位置しているところには第三水管が連通するように設置され、前記第三水管のうち上側の前記植え鉢の上方に位置しているところには噴出孔が設置されている。
【００１３】
上記の技術プランに基づき、前記注水箱の右側面には固定ブロックが上下対称的に固定的に装着され、前記固定箱の底面には支持スタンドが固定的に装着され、前記支持スタンドと前記固定ブロックとにより装置全体を固定することができる。
【００１４】
上記の技術プランに基づき、前記水蓄えチャンバの底壁の中には推し動かしチャンバが連通するように設置され、前記推し動かしチャンバが右方へ伸びて前記注水箱の右側面を貫通しており、前記推し動かしチャンバの中には推し動かし板がスライドできるように装着され、前記推し動かし板の底面と前記推し動かしチャンバの底壁との間には第三ばねが固定的に装着されている。
【発明の効果】
【００１５】
本発明の有益効果は：本発明は晴れた日に移動機構の中のヒンジ連結ロッドにより下側の植え鉢を推し動かして左方へ移動させることができ、これにより上下両側の植え鉢の位置をずらし、上下両側の植え鉢の中の植物が光の照射を受けられ、上側の植え鉢が下側の植え鉢の太陽を遮らなく、植物の成長に有利であり、しかも制御機構が晴れた日に阻みブロックにより流水出口を密封でき、植え鉢の中の水分が流水出口により流失することを防止し、水分の流失速度を下げ、雨の日に植え鉢に落ちた雨水が流水出口により流出でき、植物が冠水で死ぬことを防止し、固定ブロックと支持スタンドとにより注水装置をベランダに固定し、注水装置が落ちることを防止し、行人の安全を保証し、普及する価値がある。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の構成模式図
【図２】図２は図１の中のＡのところの拡大模式図
【図３】図３は図１の中のＢ―Ｂ方向の断面構成模式図
【図４】図４は図１の中のＣ―Ｃ方向の断面構成模式図
【図５】図５は図１の中のＤのところの拡大模式図
【発明を実施するための形態】
【００１８】
図１〜５を参照し、本発明の実施例の家庭ベランダ用伸縮できて滑り落ち防止の植物に注水可能な装置は、注水箱５６を含み、前記注水箱５６の左側面には固定板１１が前後対称的に固定的に装着され、前記注水箱５６の左側面のうち前記固定板１１の下方に位置しているところには固定箱１６が固定的に装着され、前記固定箱１６の中には上方へ開口した水蓄えチャンバ１５が設置され、前記水蓄えチャンバ１５の中及び前後両側の前記固定板１１の間には植え鉢２２が設置され、前記植え鉢２２の中には上方へ開口した植物を植えられる植えチャンバ２３が設置され、前記植え鉢２２の中にはまた前記植え鉢２２の中の水が流失することを防止できる制御機構１０１が設置され、前記制御機構１０１は前側の前記固定板１１の前側面と後側の前記固定板１１の後側面とに回転できるように装着された動力ロッド５７を含み、前記動力ロッド５７が上側の前記植え鉢２２を貫通しており、前記固定箱１６の前側面と後側面との間には伝動ロッド４９が回転できるように装着され、前記伝動ロッド４９が下側の前記植え鉢２２を貫通しており、前記動力ロッド５７と前記伝動ロッド４９との間には伝動機構１０２が設置され、前記植え鉢２２の中には流水出口５４が設置され、前記流水出口５４の左側には引き動かしチャンバ５１が設置され、前記引き動かしチャンバ５１の中には阻みブロック５３がスライドできるように装着され、前記阻みブロック５３が前記流水出口５４を密封でき、下側の前記植え鉢２２が左右に移動すると、前記伝動ロッド４９が回転して前記伝動機構１０２により前記動力ロッド５７を連動させて回転させ、前記阻みブロック５３が前記流水出口５４を密封するかどうかを制御し、前記注水箱５６の中には下側の前記植え鉢２２を連動させて移動させることができる移動機構１０３が設置され、前記注水箱５６の中にはまた前記植え鉢２２の中の植物に注水を行う注水機構１０４が設置された。  
【００１９】
また、一つの実施例の中で、前記伝動機構１０２は前記動力ロッド５７に前後対称的に固定的に装着された連結ロッド２０を含み、前記連結ロッド２０の中には下方へ開口したばねチャンバ４６が設置され、前記伝動ロッド４９には伸縮ロッド１８が前後対称的に固定的に装着され、前記伸縮ロッド１８と前記ばねチャンバ４６とがスライドできるように装着され、前記伸縮ロッド１８の頂面と前記ばねチャンバ４６の頂壁との間には第一ばね２１が固定的に装着され、晴れた日に、移動機構１０３が植え鉢２２を推し動かして左方へ移動させ、伸縮ロッド１８が伝動ロッド４９を連動させて回転させ、伸縮ロッド１８がばねチャンバ４６の中でスライドし、これにより連結ロッド２０が回転し、連結ロッド２０が動力ロッド５７を連動させて回転させる。
【００２０】
また、一つの実施例の中で、前記制御機構１０１はまた前記植え鉢２２の中に設置された伝動チャンバ４７を含み、前記伝動ロッド４９及び前記動力ロッド５７のうち前記伝動チャンバ４７の中に位置しているところにはギヤ４８が固定的に装着され、前記ギヤ４８と前記阻みブロック５３の左側面との間にはひも５０が固定的に装着され、前記阻みブロック５３の左側面と前記引き動かしチャンバ５１の左側内壁との間には第二ばね５２が固定的に装着され、これにより伝動ロッド４９と動力ロッド５７とが回転すると、ギヤ４８を連動させて回転させ、ギヤ４８が回転してひも５０と第二ばね５２とにより阻みブロック５３を右方へ移動させ、流水出口５４を密封し、植え鉢２２の中の水分が流失することを防止する。
【００２１】
また、一つの実施例の中で、上側の前記流水出口５４の底壁にはゴムホース４１が固定的に装着され、雨の日に、流水出口５４が開いた状態にあり、上側の植え鉢２２の中で、雨水がゴムホース４１により水蓄えチャンバ１５に流れ、これにより植物が冠水で死ぬことが発生しない。
【００２２】
また、一つの実施例の中で、前記移動機構１０３は前記注水箱５６の中に設置された左方へ開口した移動チャンバ４２を含み、前記移動チャンバ４２の上方には噛み合いチャンバ４４が設置され、前記噛み合いチャンバ４４の頂壁の中にはモータ２６が固定的に装着され、前記モータ２６の下向きの出力軸の底面にはネジロッド３６が固定的に装着され、前記ネジロッド３６が下方へ前記移動チャンバ４２の底壁の中まで伸びており、前記移動チャンバ４２の中には移動ブロック３５がスライドできるように装着され、前記移動ブロック３５が前記ネジロッド３６とネジ山により装着され、前記移動ブロック３５と下側の前記植え鉢２２との間にはヒンジ連結ロッド４３がヒンジにより連結され、前記水蓄えチャンバ１５の前後内壁にはリミットチャンバ１４が連通するように設置され、前記伝動ロッド４９が前記リミットチャンバ１４とスライドできるように装着され、下側の前記植え鉢２２には補助ブロック５５が前後対称的に固定的に装着され、前記補助ブロック５５が前記リミットチャンバ１４とスライドできるように装着され、これにより晴れた日に、モータ２６が起動してネジロッド３６を連動させて回転させ、ネジロッド３６が回転して移動ブロック３５を連動させて下方へ移動させ、移動ブロック３５がヒンジ連結ロッド４３により下側の植え鉢２２を推し動かして左方へ移動させる。
【００２３】
また、一つの実施例の中で、前記注水機構１０４は前記注水箱５６の頂面に設置された上方へ開口した貯水チャンバ２８を含み、前記貯水チャンバ２８の底壁には引き動かしブロック２７がスライドできるように装着され、前記貯水チャンバ２８の右側にはネジ山チャンバ３０が設置され、前記引き動かしブロック２７が右方へ伸びて前記ネジ山チャンバ３０の左側内壁を貫通しており、前記ネジ山チャンバ３０の中にはネジ山ブロック３１がスライドできるように装着され、前記ネジ山ブロック３１の頂面が前記引き動かしブロック２７の底面と固定的に連結され、前記ネジロッド３６のうち前記噛み合いチャンバ４４の中に位置しているところには第一ベベルギヤ４５が固定的に装着され、前記ネジ山チャンバ３０の右側内壁の中には前記噛み合いチャンバ４４の右側内壁を貫通している回転ロッド３４が回転できるように装着され、前記回転ロッド３４の左側面には第二ベベルギヤ３３が固定的に装着され、前記第二ベベルギヤ３３と前記第一ベベルギヤ４５とが噛み合っており、前記回転ロッド３４が前記ネジ山ブロック３１とネジ山により装着され、これによりネジロッド３６が回転する時、ネジロッド３６が第一ベベルギヤ４５と第二ベベルギヤ３３との噛み合いにより回転ロッド３４を連動させて回転させ、回転ロッド３４が回転してネジ山ブロック３１を連動させて右方へ移動させ、これによりネジ山チャンバ３０が右方へ移動する。
【００２４】
また、一つの実施例の中で、前記引き動かしブロック２７の中には抜き孔２９が設置され、前記貯水チャンバ２８の底壁には前記注水箱５６の左側面を貫通している第一水管２５が連通するように設置され、前記第一水管２５の底面には第二水管２４が連通するように設置され、前記抜き孔２９が前記第一水管２５と連通でき、前記貯水チャンバ２８の底壁のうち前記第一水管２５の左側に位置しているところには第三水管１２が連通するように設置され、前記第三水管１２のうち上側の前記植え鉢２２の上方に位置しているところには噴出孔５８が設置され、これにより曇った日に、下側の植え鉢２２が左方へ移動しなく、貯水チャンバ２８の中に水を加え、この時に抜き孔２９が第一水管２５と連通し、水が第一水管２５と第二水管２４とにより植え鉢２２の中の植物に注がれ、晴れた日に、下側の植え鉢２２が左方へ移動して上側の植え鉢２２とともに光の照射を受けられ、貯水チャンバ２８の中に水を加えることにより第三水管１２と噴出孔５８とを通して植え鉢２２の中の植物に水をかけることができる。
【００２５】
また、一つの実施例の中で、前記注水箱５６の右側面には固定ブロック３２が上下対称的に固定的に装着され、前記固定箱１６の底面には支持スタンド１７が固定的に装着され、前記支持スタンド１７と前記固定ブロック３２とにより装置全体を固定することができる。
【００２６】
また、一つの実施例の中で、前記水蓄えチャンバ１５の底壁の中には推し動かしチャンバ４０が連通するように設置され、前記推し動かしチャンバ４０が右方へ伸びて前記注水箱５６の右側面を貫通しており、前記推し動かしチャンバ４０の中には推し動かし板３７がスライドできるように装着され、前記推し動かし板３７の底面と前記推し動かしチャンバ４０の底壁との間には第三ばね３９が固定的に装着され、これにより水蓄えチャンバ１５の中の水が多すぎる時、推し動かし板３７を押し、これにより水が流れて推し動かしチャンバ４０を通して出ることができる。
【００２７】
使用する時、晴れた日に、モータ２６が起動してネジロッド３６を連動させて回転させ、ネジロッド３６が回転して移動ブロック３５を連動させて下方へ移動させ、移動ブロック３５がヒンジ連結ロッド４３により下側の植え鉢２２を推し動かして左方へ移動させ、伸縮ロッド１８が伝動ロッド４９を連動させて回転させ、伸縮ロッド１８がばねチャンバ４６の中でスライドし、これにより連結ロッド２０が回転し、連結ロッド２０が動力ロッド５７を連動させて回転させ、伝動ロッド４９と動力ロッド５７とが回転すると、ギヤ４８を連動させて回転させ、ギヤ４８が回転してひも５０と第二ばね５２とにより阻みブロック５３を右方へ移動させ、流水出口５４を密封し、植え鉢２２の中の水分が流失することを防止し、雨の日に、流水出口５４が開いた状態にあり、上側の植え鉢２２の中で、雨水がゴムホース４１により水蓄えチャンバ１５に流れ、これにより植物が冠水で死ぬことが発生しなく、ネジロッド３６が回転すると、ネジロッド３６が第一ベベルギヤ４５と第二ベベルギヤ３３との噛み合いにより回転ロッド３４を連動させて回転させ、回転ロッド３４が回転してネジ山ブロック３１を連動させて右方へ移動させ、これによりネジ山チャンバ３０が右方へ移動し、曇った日に、下側の植え鉢２２が左方へ移動しなく、貯水チャンバ２８の中に水を加え、この時に抜き孔２９が第一水管２５と連通し、水が第一水管２５と第二水管２４とにより植え鉢２２の中の植物に注がれ、晴れた日に、下側の植え鉢２２が左方へ移動して上側の植え鉢２２とともに光の照射を受けられ、貯水チャンバ２８の中に水を加えることにより第三水管１２と動力ロッド５７とを通して植え鉢２２の中の植物に水をかけることができ、支持スタンド１７と固定ブロック３２とにより装置全体を固定することができ、水蓄えチャンバ１５の中の水が多すぎる時、推し動かし板３７を押し、これにより水が流れて推し動かしチャンバ４０を通して出ることができる。
【００２８】
本発明の有益効果は：本発明は晴れた日に移動機構の中のヒンジ連結ロッドにより下側の植え鉢を推し動かして左方へ移動させることができ、これにより上下両側の植え鉢の位置をずらし、上下両側の植え鉢の中の植物が光の照射を受けられ、上側の植え鉢が下側の植え鉢の太陽を遮らなく、植物の成長に有利であり、しかも制御機構が晴れた日に阻みブロックにより流水出口を密封でき、植え鉢の中の水分が流水出口により流失することを防止し、水分の流失速度を下げ、雨の日に植え鉢に落ちた雨水が流水出口により流出でき、植物が冠水で死ぬことを防止し、固定ブロックと支持スタンドとにより注水装置をベランダに固定し、注水装置が落ちることを防止し、行人の安全を保証し、普及する価値がある。
【００２９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。